(57)【要約】  【課題】本発明では、材料の選定が容易で製造経費の削減を図ることのできるケーブル接続部用クロージャーに設けられるシール部材およびケーブル接続部用クロージャーを提供することを目的とする。  【解決手段】ケーブル接続部用クロージャー１のエンドシール部材８を、一対の外側シール部材１３と各外側シール部材１３に格納される内側シール部材１５とから構成し、内側シール部材１５に、切り欠き部４６の径がケーブル接続部用クロージャー１に導入される光ケーブルの径に対応して各防水フィン４５毎に異なる半円状の切り欠き部４６を有する薄板状の複数の防水フィン４５を設ける。  【選択図】図２
2007304163.tif 000002
【特許請求の範囲】
【請求項１】
ケーブル接続部（４）を内部に格納するクロージャー（１）のケーブル導入部に設けられ、
開閉可能な一対の外側シール部材（１３）と、前記各外側シール部材に着脱可能に設けられた少なくとも１つの内側シール部材（１５）とからなるエンドシール部材（８）であって、
前記内側シール部材は、前記一対の外側シール部材を閉じた状態で前記クロージャー内に導入されるケーブル（２）をシールする複数の防水フィン（４５）を備え、
前記各防水フィンは、前記内側シール部材の端部内壁から突出し、変形可能な薄板状に形成されるとともに、前記ケーブルが嵌合する切り欠き部（４６）を有し、
前記切り欠き部の径は前記ケーブルの径に対応して前記防水フィン毎に異なることを特徴とする、ケーブル接続部用クロージャーのエンドシール部材。
【請求項２】
前記防水フィンの前記変形は、基端部から倒れるような変形であることを特徴とする請求項１に記載のケーブル接続部用クロージャーのエンドシール部材。
【請求項３】
前記複数の防水フィンは、前記内側シール部材の外側から内側に向かって前記切り欠き部の半径が大きいものから小さいものへ順に並んで設けられることを特徴とする請求項１または請求項２に記載のケーブル接続部用クロージャーのエンドシール部材。
【請求項４】
前記複数の防水フィンの両側端部は、スリット（４８）によって前記内側シール部材の内側壁と隔てられていることを特徴とする請求項２または請求項３に記載のケーブル接続部用クロージャーのエンドシール部材。
【請求項５】
前記内側シール部材は、前記複数の防水フィンよりも内側に切り欠き部のない遮蔽フィン（３９）を備えることを特徴とする請求項１〜請求項４のいずれかに記載のケーブル接続部用クロージャーのエンドシール部材。
【請求項６】
前記内側シール部材は、断面がコ字状の本体部の対向する両側壁の間に前記複数の防水フィンが設けられており、その両側壁に厚み方向に貫通する溝（５１）を備えることを特徴とする、請求項１〜請求項５のいずれかに記載のケーブル接続部用クロージャーのエンドシール部材。
【請求項７】
前記複数の防水フィンは前記内側シール部材の中央よりも両端部側に設けられることを特徴とする、請求項１〜請求項６のいずれかに記載のケーブル接続部用クロージャーのエンドシール部材。
【請求項８】
前記外側シール部材は、軸方向外方に突出し、先端に向かって細くなる筒状のケーブル被覆部（２４）を端面外側に備えることを特徴とする、請求項１〜請求項７のいずれかに記載のケーブル接続部用クロージャーのエンドシール部材。
【請求項９】
請求項１〜請求項８のいずれかに記載のエンドシール部材を備えるケーブル接続部用クロージャー。
【発明の詳細な説明】
【技術分野】
【０００１】
本発明は、ケーブル接続部用クロージャーに設けられるエンドシール部材およびケーブル接続部用クロージャーに関する。
【背景技術】
【０００２】
ケーブル接続用クロージャーには地中に埋設されるケーブルの接続部分に設けられ、気密性を要求するものと、架空ケーブルの接続部分に設けられ、気密性よりはレベルの低い防滴性を要求するものとがある。従来、これらのケーブル接続部用クロージャーのシール部材として、可撓性弾性材料のシール部を備え、クロージャー内に導入されるケーブルの外周面にシール部が巻きつくように接してシールするものが使用されている。この可撓性弾性材料としてはゴム材料がよく使用されており（例えば、特許文献１参照）、ゴム材料の他には他のエラストマーやジェルなどが使用されている。
【０００３】
しかし、架空ケーブルの接続部分に設けられるケーブル接続用クロージャーでは、防滴性を満足することが要求されるため、特許文献１に記載のシール部材では特別な特性を必要とする材料を選定しなければならない。
【特許文献１】特許第３６５７５８１号公報
【発明の開示】
【発明が解決しようとする課題】
【０００４】
本発明では、特別な材料を使わなくても効果的にシールできるケーブル接続部用クロージャーのエンドシール部材およびケーブル接続部用クロージャーを提供することを目的とする。
【課題を解決するための手段】
【０００５】
上記課題を解決するために、本発明は以下の手段を提供している。
本発明に係るケーブル接続部用クロージャーのエンドシール部材は、ケーブル接続部を内部に格納するクロージャーのケーブル導入部に設けられ、開閉可能な一対の外側シール部材と、前記各外側シール部材に着脱可能に設けられた少なくとも１つの内側シール部材とからなるエンドシール部材であって、前記内側シール部材は、前記一対の外側シール部材を閉じた状態で前記クロージャー内に導入されるケーブルをシールする複数の防水フィンを備え、前記各防水フィンは、内側シール部材の端部内壁から突出し、変形可能な薄板状に形成されるとともに、前記ケーブルが嵌合する切り欠き部を有し、前記切り欠き部の径は前記ケーブルの径に対応して前記防水フィン毎に異なることを特徴とする。
【０００６】
また、本発明に係るケーブル接続部用クロージャーのエンドシール部材において、前記防水フィンの前記変形は、基端部から倒れるような変形であることを特徴とする。
【０００７】
また、本発明に係るケーブル接続部用クロージャーのエンドシール部材において、前記複数の防水フィンは、前記内側シール部材の外側から内側に向かって前記切り欠き部の半径が大きいものから小さいものへ順に並んで設けられることを特徴とする。
【０００８】
また、本発明に係るケーブル接続部用クロージャーのエンドシール部材において、前記複数の防水フィンの両側端部は、スリットによって内側シール部材の内側壁と隔てられていることを特徴とする。
【０００９】
また、本発明に係るケーブル接続部用クロージャーのエンドシール部材において、前記内側シール部材は、前記複数の防水フィンよりも内側に切り欠き部のない遮蔽フィンを備えることを特徴とする。
【００１０】
さらに、本発明に係るケーブル接続部用クロージャーのエンドシール部材において、前記内側シール部材は、断面がコ字状の本体部の対向する両側壁の間に前記複数の防水フィンが設けられており、その両側壁に厚み方向に貫通する溝を備えることを特徴とする。
【００１１】
また、本発明に係るケーブル接続部用クロージャーのエンドシール部材において、前記複数の防水フィンは前記内側シール部材の中央よりも両端部側に設けられることを特徴とする。
【００１２】
また、本発明に係るケーブル接続部用クロージャーのエンドシール部材において、前記外側シール部材は、軸方向外方に突出し、先端に向かって細くなる筒状のケーブル被覆部を端面外側に備えることを特徴とする。
【００１３】
さらに、本発明に係るケーブル接続部用クロージャーは、請求項１〜請求項８のいずれかに記載のエンドシール部材を備えることを特徴とする。
【発明の効果】
【００１４】
本発明によれば、内側シール部材に設けられ、異なる半径の切り欠き部を有する複数の防水フィンのうちクロージャー内に導入されるケーブルの径に対応する径の切り欠き部を持つ防水フィンの対が、ケーブルを把持しつつ防滴し、他の防水フィンは変形してケーブルの導入を邪魔しない構造となっているので、各径のケーブルに対応することができる。防水フィンを変形させるためには、防水フィンの材料の厚みを変化させることによって対応できるので、文献１にあるシール部材のような特別な特性を必要とせず、材料の選定が容易であり、クロージャースリーブ、外側シール部材または内側シール部材と同じ材料で防水フィンを成形することができる。そして、防水フィンと内側シール部材を一体に射出成形で容易に成形することもできる。
【発明を実施するための最良の形態】
【００１５】
本発明の一実施形態であるケーブル接続部用クロージャー１を図１〜図９に基づいて説明する。
本発明に係るケーブル接続部用クロージャー１は、図１に示すように、両端から導入された複数の光ケーブル２の光ファイバ心線３同士を接続するケーブル接続部４を中央部に備える開閉自在なクロージャースリーブ６とこのクロージャースリーブ６の両端に着脱自在に設けられたエンドシール部材８とから構成される。
本実施形態ではクロージャースリーブ６はポリプロピレン（ＰＰ）樹脂やポリエチレン（ＰＥ）樹脂で形成されている。
【００１６】
エンドシール部材８は、図２に示すように、一対のものそれぞれに合わせ面１６から窪む凹部１１が形成された外側シール部材１３と、各外側シール部材１３の凹部１１に格納される３個の内側シール部材１５とから構成されている。
各外側シール部材１３の両端の合わせ面１６には、図３に示すように、３個の大きな半円状の切り欠き部２１と１個の小さな円周状の切り欠き部２２とが形成され、一方の端面１７には、３個の大きな半円状の切り欠き部２１のそれぞれの外側を囲むように形成され、先端に向かって細くなる筒の、半割りされた側端部が少し延ばされた形状のケーブル被覆部２４が３箇所に設けられている。
【００１７】
また、凹部１１の底面２５には各々２個が１組となった３組の略円形状の孔２６が形成されている。さらに、一方の側端部には係止爪部３０が設けられ、他方の側端部には係止爪部３０が引っ掛かる係止受け部３１が設けられている。
本実施形態では外側シール部材１３もポリプロピレン（ＰＰ）樹脂やポリエチレン（ＰＥ）樹脂で形成されている。
【００１８】
一方、内側シール部材１５は、図５および図６に示すように、断面がコの字型の本体部４１の両側壁４２の間に、６枚の防水フィン４５がおのおの３枚ずつ２組に分かれて、それぞれ内側シール部材１５の長さ方向の中央よりも両端部側に配置された構成とされている。２組の防水フィン４５は、底面２５から突出した薄板状に形成され、それぞれの防水フィン４５の端面４４に半円状の切り欠き部４６が形成されている。
【００１９】
一対の外側シール部材１３を合わせ面１６で合わせて固定し、その外側をクロージャー６で囲んで閉じると、図４に示すように、ケーブル被覆部２４は中央に光ケーブル２が導入される穴２７の開いた円錐状となり、その内方に内側シール部材１５の対が合わせ面４３を当接させて配置された状態となる。そして、内側シール部材１５の防水フィン４５に形成された半円状の切り欠き部４６の各対もその合わせ面４４同士を当接させ、中央に光ケーブル２が導入される穴５６を形成する。
また、外側シール部材１３とクロージャー６との間に複数のドロップケーブル挿入孔２８が形成される。
【００２０】
ここで、それぞれ１組を構成する３枚の防水フィン４５の切り欠き部４６の半径は防水フィン４５毎に異なり、ケーブル接続部用クロージャー１に導入される可能性のある光ケーブル２の径に対応するように形成されている。
すなわち、光ケーブル２には複数の光ファイバ心線３が収納され、一の光ケーブル２に収納される光ファイバ心線３の本数の範囲はその光ケーブル２の径に応じて規格で決められている。本実施形態のケーブル接続部用クロージャー１では、導入される光ファイバ心線３の本数の範囲をカバーする３種類の径の光ケーブルを収納することを想定している。
【００２１】
防水フィンの組を構成するそれぞれ３枚の防水フィン４５は内側シール部材１５の、防水フィン４５の対によって形成される穴５６の軸方向の端から中央に向かって切り欠き部４６の半径が小さくなるように並んで形成されており、これら防水フィン４５と内側シール部材１５の内側壁４７との間にはスリット４８が形成され、各防水フィン４５が容易に基端部から倒れることができるようにされている。また、外部側の３枚の防水フィン４５の内側には切り欠き部のない長方形板状の遮蔽フィン４９が底面２５から突出して設けられている。
【００２２】
さらに、内側シール部材１５の本体部４１の両内側面４７の穴５６の軸方向の中央部は両側壁４２の間の内部空間に膨出した膨出面５０とされており、この膨出面５０の両側の側壁４２には、内側シール部材１５の両端からそれぞれ２枚目と３枚目の防水フィン４５の間にあたる位置に溝５１が厚みを貫通する方向に形成されている。また、奥側外側壁５２には、図７に示すように、先端が球状に形成された一対の固定部５３が外側に向かって突出している。
本実施形態では、内側シール部材１５は防水フィン４５を含め、ポリプロピレン（ＰＰ）樹脂、またはポリエチレン（ＰＥ）樹脂等で形成されている。
【００２３】
次に、以上のような構成のケーブル接続部用クロージャー１に支持線５と光ケーブル２とを収容する場合について説明する。
６個の内側シール部材１５は、奥側外側壁５２に設けられた固定部５３が外側シール部材１３の底面２５に開けられた孔２６に嵌合することによって、一対の外側シール部材１３にそれぞれ３個ずつ格納され、固定された状態となっている。
【００２４】
次に、支持線５が一対の外側シール部材１３の切り欠き部２２の間に挟みこまれ、光ケーブル２が一対の内側シール部材１５の防水フィン４５に形成された切り欠き部４６の間に挟み込まれるように、一対の外側シール部材１３を閉じる。
すると、光ケーブル２の外周面が、この光ケーブル２の径に対応するように形成された切り欠き部４６を有する防水フィン４５の切り欠き部４６の内周面５５に当接し、光ケーブル２は一対の防水フィン４５によって支持されると同時にシールされる。
【００２５】
このとき、遮蔽フィン４９、および光ケーブル２の径より小さな径の切り欠き部４６を有する防水フィン４５は、光ケーブル２によって倒れる方向へ押圧される。そして、切り欠き部４６の内周面５５が内側シール部材１５の外側に向いた斜面状に形成され、内側シール部材１５の内側壁４７と防水フィン４５との間にスリット４８が設けられた防水フィン４５は遮蔽フィン４９とともに、ケーブル２による押圧によって、図８（ａ）に示す状態から、図８（ｂ）に示すように、内側シール部材１５の長さ方向の中央に向かって基端部から倒れるように変形させられて、ケーブル２と干渉しない状態になる。
【００２６】
次に、一対の外側シール部材１３の端部に設けられた係止爪部３０をそれぞれ他方の端部に設けられた係止受け部３１に引っ掛けることによって、一対の外側シール部材１３を閉じた状態に固定する。
すると、一対の外側シール部材１３に設けられた筒状のケーブル被覆部２４の延ばされた両端部は重なり合って光ケーブル２の外側をシールする。さらに、支持線５は外側シール部材１３の一対の切り欠き部２２の端面に挟み込まれて支持されつつ防滴される。
【００２７】
すなわち、支持線５は外側シール部材１３によって支持されつつシールされ、光ケーブル２は外側シール部材１３のケーブル被覆部２４と内側シール部材１５の防水フィン４５との両方によって２重にシールされる。
光ケーブル２が通らない内側シール部材１５では、図８（ａ）に示すように、この内側シール部材１５に設けられた遮蔽フィン４９の端面同士が当接して、この内側シール部材の内部をシールする。
【００２８】
本実施形態のケーブル接続部用クロージャー１では、光ケーブル２を収容して架空され雨にさらされた場合に、雨が外側シール部材１３のケーブル被覆部２４で進入を妨げられてケーブル接続部用クロージャー１の内部に入りにくく、外側シール部材１３のケーブル被覆部２４で進入を妨げられずに外側シール部材１３および光ケーブル２の外面を伝って内側シール部材１５の内部に侵入する雨は内側シール部材１５の端部に設けられた防水フィン４５によって内部に入りにくい。
【００２９】
また、内側シール部材１５の外側端部に位置する防水フィン４５で防滴されずに内側シール部材１５内部に侵入した水分は、図９に矢印で示すように、外側端部に位置する防水フィン４５の内側を伝い、内側シール部材１５の側壁に設けられた溝５１を伝って内側シール部材１５内から排出される。さらに、内側に位置する防水フィン４５まで侵入した水分は、この内側に位置する防水フィン４５の内側および外側を伝い、溝５１を伝って内側シール部材１５内から排出される。この際に、内側シール部材の両側壁の中央部は内方向に膨出した膨出面５０となっているので、内側シール部材の内部に侵入した水分はこの膨出面５０に沿って流れ、溝５１から排出されやすくなっている。
【００３０】
このように、このケーブル接続部用クロージャー１は防滴のためのシール機能を多段階に有することになり、十分な防滴性能を持つ。
また、本実施形態のケーブル接続部用クロージャー１では、複数の防水フィン４５が内側シール部材１５の、防水フィン４５の対によって形成される穴５６の軸方向中央に向かって、半円状の切り欠き部４６の半径が大きいものから小さいものへ順に並んで設けられているので、防水フィン４５が倒れるときにケーブル２を防滴している防水フィン４５に突き当たることがない。このため、複数の防水フィン４５を、狭い防水フィン４５同士の間隔で配置することができ、ケーブル接続部用クロージャー１が大型化することがない。
【００３１】
本実施態様のようにケーブル接続部用クロージャー１を構成することによって、防滴のためのシール材である防水フィン４５の材料を特別な特性を有するものに限定する必要がなくなり、材料の選定を容易にすることができる。また、防水フィン４５の材料を特別な特性を持つものに限定しないので、クロージャースリーブ６、外側シール部材１３、または内側シール部材１５などの材料と同一の材料にすることができ、これらと防水フィン４５とを一体射出成形などで同時に成形することもできる。
【００３２】
尚、本実施形態において、クロージャースリーブ６、外側シール部材１３、および内側シール部材１５はポリプロピレン樹脂やポリエチレン樹脂で成形しているが、これらに限られず、他のプラスティック成形品やエラストマーなどでも良い。ただし、クロージャースリーブ６、外側シール部材１３では紫外線耐性などの耐候性を有する材料である必要がある。内側シール部材１５の材料は、防水フィン４５を含め紫外線耐性を有する必要はない。
【００３３】
また、本実施形態において、ケーブル接続部用クロージャー１、２は両端からそれぞれ３本の光ケーブル２を導入する場合を想定しているが、３本に限られず３本より多くても少なくても良い。
【００３４】
また、本実施形態では複数の防水フィン４５を内側シール部材の穴５６の軸方向の両端から中央に向かって切り欠き部４６の半径が小さくなるように並べて形成しているが、この順に並べて形成する必要はない。しかし、防水フィン４５が倒れるように変形したときに光ケーブルを支持し防滴する防水フィン４５に当らないようにする必要があるので、エンドシール部材８が大型化する可能性がある。
【００３５】
さらに、一対の外側シール部材１３は、図１０に示すように、ヒンジ部６０を介して開閉自在に連結されていても良い。このように一対の外側シール部材１３を連結しておくことによって、作業効率が良くすることができる。
【００３６】
また、内側シール部材１５に設けられる溝５１は、図１１および図１２に示すように、遮蔽フィン４９の内側に設けられても良い。
【００３７】
また、内側シール部材１５と外側シール部材１３との固定は、本実施形態のようなはめ込み式に限られず、図１３に示すような、係止部材６１によるものでも良く、その他の方式によるものでも良い。
【図面の簡単な説明】
【００３８】
【図１】本発明の一実施形態に係るケーブル接続部用クロージャーの全体を示す縦断面図である。
【図２】図１に示したエンドシール部材８を示す斜視図である。
【図３】外側シール部材の斜視図である。
【図４】外側シール部材を閉じた状態の平面図である。
【図５】内側シール部材の斜め上からの斜視図である。
【図６】内側シール部材の立面図である。
【図７】内側シール部材の背面図である。
【図８】防水フィンの変形の状態を示す模式図である。
【図９】内側シール部材における進入水の排出を示す模式図である。
【図１０】実施形態で示した以外の外側シール部材の斜視図である。
【図１１】実施形態で示した以外の内側シール部材の斜め上からの斜視図である。
【図１２】実施形態で示した以外の内側シール部材の斜め下からの斜視図である。
【図１３】実施形態で示した以外の内側シール部材の斜め上後ろからの斜視図である。
【符号の説明】
【００３９】
１・・・ケーブル接続部用クロージャー（クロージャー）、２・・・光ケーブル（ケーブル）、3・・・光ファイバ心線、４・・・ケーブル接続部、５・・・支持線、６・・・クロージャースリーブ、８・・・エンドシール部材、１１・・・凹部、１３・・・外側シール部材、１５・・・内側シール部材、１６・・・合わせ面、１７、１８・・・端面、２１・・・切り欠き部、２２・・・切り欠き部、２４・・・ケーブル被覆部、２５・・・底面、２６・・・孔、２７・・・穴、２８・・・ドロップケーブル挿入孔、３０・・・係止爪部、３１・・・係止受け部、４１・・・本体部、４２・・・側壁、４３・・・合わせ面、４４・・・合わせ面、４５・・・防水フィン、４６・・・切り欠き部、４７・・・内側面、４８・・・スリット、４９・・・遮蔽フィン、５０・・・膨出面、５１・・・溝、５２・・・奥側外側壁、５３・・・固定部、５５・・・内周面、５６・・・穴、６０・・・ヒンジ部、６１・・・係止部材、
【図１】
2007304163.tif 000003
【図２】
2007304163.tif 000004
【図３】
2007304163.tif 000005
【図４】
2007304163.tif 000006
【図５】
2007304163.tif 000007
【図６】
2007304163.tif 000008
【図７】
2007304163.tif 000009
【図８】
2007304163.tif 000010
【図９】
2007304163.tif 000011
【図１０】
2007304163.tif 000012
【図１１】
2007304163.tif 000013
【図１２】
2007304163.tif 000014
【図１３】
2007304163.tif 000015